(57)【要約】      （修正有）【課題】首掛け部の装着性を良好にした首掛け型機器を提供する。【解決手段】首の周りを覆うように形成した首掛け部１０と、首掛け部１０に対して角度調節部３０を介して接続される送風部２０と、首掛け部１０の内部に設けられて送風部２０に電源を供給する電源部と、を有する。また、首掛け部１０は、左右の先端部にそれぞれ収納部を有し、収納部に電源部が配置される。電源部は、左右の収納部にそれぞれ設けられる。【選択図】図１
0003225318.tif 000002
【実用新案登録請求の範囲】
【請求項１】
首の周りを覆うように形成した首掛け部と、
前記首掛け部に対して角度調節部を介して接続される送風部と、
前記首掛け部の内部に設けられて前記送風部に電源を供給する電源部と、
を有することを特徴とする首掛け型機器。
【請求項２】
前記首掛け部は、左右の先端部にそれぞれ収納部を有し、該収納部に前記電源部が配置されることを特徴とする請求項１に記載の首掛け型機器。
【請求項３】
前記電源部は、左右の前記収納部にそれぞれ設けられることを特徴とする請求項２に記載の首掛け型機器。
【請求項４】
前記首掛け部は、首の後側に配置される後側部と、該後側部から首の左右前側に延びる前側部とを有し、該前側部は前記後側部より幅方向に膨らんだ膨張部を有し、該膨張部に前記収納部が形成されることを特徴とする請求項２または３に記載の首掛け型機器。
【請求項５】
前記角度調節部は、前記首掛け部の先端部から先端方向に延びるように設けられることを特徴とする請求項１〜４のいずれか１項に記載の首掛け型機器。
【請求項６】
前記角度調節部は、前記首掛け部の後端から前端までの長さに対して０．２５〜０．４倍の長さを有することを特徴とする請求項５に記載の首掛け型機器。
【考案の詳細な説明】
【技術分野】
【０００１】
本考案は、首に掛ける首掛け部と、この首掛け部に設けられる送風部とを有する首掛け型機器に関する。
【背景技術】
【０００２】
首に掛ける首掛け部と、この首掛け部に設けられる送風部とを有する首掛け型機器が知られている。このような首掛け型機器として、例えば特許文献１に挙げるようなものがある。
【先行技術文献】
【特許文献】
【０００３】
【特許文献１】韓国特許登録第１０１８５７０４７号明細書
【考案の概要】
【考案が解決しようとする課題】
【０００４】
特許文献１の首掛け型機器は、ファンを有する送風部が首掛け部の先端部に、先端部が延長する方向に突出するように設けられている。また、首掛け部の先端部と送風部との間には、角度調節部となる角度調節部が設けられており、首掛け部に対して送風部の向きを調節することができる。
【０００５】
首掛け型機器は、電源部（バッテリー）や制御部などの構成機器を要する。構成機器のうち、特にバッテリーの重量が大きい。首掛け部の左右のバランスを取るために、バッテリーは首掛け部の中央部に配置される。首掛け部の中央部は、ユーザーの首に掛けた際に首の後部に位置する部分であり、この部分がバッテリーのために太くなることで、ユーザーの衣服に干渉するなど装着性が良好とは言えない。
【０００６】
本考案は前記課題を鑑みてなされたものであり、首掛け部の装着性を良好にした首掛け型機器を提供することを目的とする。
【課題を解決するための手段】
【０００７】
前記課題を解決するため、請求項１の考案に係る首掛け型機器は、首の周りを覆うように形成した首掛け部と、
前記首掛け部に対して角度調節部を介して接続される送風部と、
前記首掛け部の内部に設けられて前記送風部に電源を供給する電源部と、
を有することを特徴として構成されている。
【０００８】
また、請求項２の考案に係る首掛け型機器は、前記首掛け部は、左右の先端部にそれぞれ収納部を有し、該収納部に前記電源部が配置されることを特徴として構成されている。
【０００９】
また、請求項３の考案に係る首掛け型機器は、前記電源部は、左右の前記収納部にそれぞれ設けられることを特徴として構成されている。
【００１０】
また、請求項４の考案に係る首掛け型機器は、前記首掛け部は、首の後側に配置される後側部と、該後側部から首の左右前側に延びる前側部とを有し、該前側部は前記後側部より幅方向に膨らんだ膨張部を有し、該膨張部に前記収納部が形成されることを特徴として構成されている。
【００１１】
また、請求項５の考案に係る首掛け型機器は、前記角度調節部は、前記首掛け部の先端部から先端方向に延びるように設けられることを特徴として構成されている。
【００１２】
また、請求項６の考案に係る首掛け型機器は、前記角度調節部は、前記首掛け部の後端から前端までの長さに対して０．２５〜０．４倍の長さを有することを特徴として構成されている。
【考案の効果】
【００１３】
本考案に係る首掛け型機器によれば、電源部の重量配分を最適化して、首掛け部の装着性と電源部の容量確保を両立させることができる。
【図面の簡単な説明】
【００１４】
【図１】本実施形態における首掛け型機器の正面図である。
【図２】首掛け型機器の左側面図である。
【図３】首掛け部の内部構造を示す拡大正面図である。
【図４】首掛け型機器の使用状態を表した側面図である。
【考案を実施するための形態】
【００１５】
本考案の実施形態について図面に沿って詳細に説明する。図１には本実施形態における首掛け型機器の正面図を、図２には首掛け型機器の左側面図を、それぞれ示している。本実施形態の首掛け型機器は、送風部２０として扇風機を有しており、ユーザーは首掛け型機器を首に掛けて、送風部２０の正面（風が出る面）を顔等の方向に向けることにより、風を受けて涼しさを感じることができるものである。
【００１６】
首掛け型機器は、ユーザーの首に掛ける部分である首掛け部１０と、首掛け部１０の両先端部より先端側に配置される２つのヘッドとしての送風部２０とを有している。首掛け部１０は、首の周りを覆うように構成されたＵ字状の形態を有している。首掛け部１０は、ユーザーの首に掛けた際に首の後側を回り込むように配置される後側部１１と、後側部１１の両端部からユーザーの首の左右前方に向かって延びる前側部１２とを有している。後側部１１は、後端部が最も細く、前端側に向かってやや太くなるように形成されている。前側部１２は、後側部１１よりも幅広に膨らむ膨張部１２ａを有している。
【００１７】
送風部２０は、前側部１２の先端部から先端側に向かうように延びる角度調節部３０を介して首掛け部１０に接続される。角度調節部３０は、任意の方向に容易に曲げることができ、かつ、曲げた状態を維持できるものであればよく、例えば、金属製の蛇腹の管状部材と、それを樹脂材で被覆したもので形成することができる。
【００１８】
角度調節部３０は、首掛け部１０の後端から前端までの長さに対して約０．３５倍の長さを有している。角度調節部３０の長さは、長い方が送風部２０の向きをより大きく変化させることができるが、長過ぎると送風部２０が顔から離れると共に、首に掛けた際のバランスが崩れるため、適度な長さにする必要がある。本実施形態において角度調節部３０は、首掛け部１０の後端から前端までの長さに対して０．２５〜０．４倍の長さを有することが好ましい。
【００１９】
送風部２０は、角度調節部３０の先端部に接続部２４を介して固定されている。送風部２０は、略円盤状の筐体２１内にファン２２とこのファン２２を回転させるモータ（不図示）を有し、筐体２１は、ファン２２の両側を覆うようにそれぞれガード部２３を有している。送風部２０は、首掛け部１０内に設けられる電源部５０からの電源によってファン２２が回転することで、送風することができる。すなわち、本実施形態において送風部２０は扇風機として機能する。
【００２０】
図３には、首掛け部の内部構造を示す拡大正面図を示している。首掛け部１０を形成する左右の前側部１２は、前述のように幅方向に膨らむ膨張部１２ａを有し、膨張部１２ａの内部にはそれぞれ空洞状の収納部１３を有している。左右の収納部１３には、それぞれ電源部４０が設けられる。電源部４０には、リチウムイオン電池等のバッテリーを用いることができる。
【００２１】
一方の収納部１３には、ファン２２のオン・オフや風量調整等の制御を行う制御部４１が配置される。制御部４１は、接続線４２により左右両側の送風部２０に接続される。左右の電源部４０は、それぞれ左右の送風部２０に対して接続線４２により接続される。また、左右の電源部４０同士も、充電のため接続される。
【００２２】
このように、首掛け部１０の前側に電源部４０を配置することで、首掛け部１０の後側は首に掛けるための最低限の太さを有していればよいので、首掛け部１０がユーザーの衣服等に干渉することなく装着性を良好にすることができる。また、首掛け部１０の左右両側に収納部１３を設け、各収納部１３に電源部４０を設けるようにしたことで、重量の大きい電源部４０が首掛け部１０の左右両側に均等に配置されることとなり、首掛け型機器全体のバランスをよくすることができる。
【００２３】
図４には、首掛け型機器の使用状態を表した側面図を示している。この図に示すように、首掛け部１０を首に掛けた状態で、角度調節部３０を曲げることで、送風部２０をユーザーの顔に向かうようにすることができる。この状態で送風部２０から風を送ることにより、ユーザーが涼しさを感じることができる。
【００２４】
以上、本考案の実施形態について説明したが、本考案の適用は本実施形態には限られず、その技術的範囲において様々に適用され得る。例えば、本実施形態においては、送風部２０を首掛け部１０の両端部に設けたものを例示したが、送風部２０は、首掛け部１０のいずれか一方の端部にのみ設けてもよい。また、送風部２０は、ファン２２を有する扇風機だけでなく、例えば、ミスト発生器、ミスト噴霧器など他の機能を有するものであってもよく、適用範囲は任意である。送風部２０は、ファン２０によって風を発生する扇風機には限られず、冷風を発生するクーラー等であってもよい。
【００２５】
また、首掛け部１０の形状は、ユーザーの首の周りを覆って掛けられる形状であればよく、本実施形態の形状に限られない。また、前述の実施形態において首掛け部１０は、後側部１１と前側部１２とが別部材であってこれらを一体化して形成されているが、後側部１１と前側部１２とが連続した部材であってもよい。
【００２６】
また、前述の実施形態において送風部２０のファン２２は、３枚の羽根を有しているが、２枚あるいは４枚以上など任意の羽根の枚数とすることができる。
【符号の説明】
【００２７】
１０    首掛け部
１１    後側部
１２    前側部
１２ａ  膨張部
１３    収納部
２０    送風部
２１    筐体
２２    回転ファン
２３    ガード部
２４    接続部
３０    角度調節部
４０    電源部
４１    制御部
４２    接続線
【図１】
0003225318.tif 000003
【図２】
0003225318.tif 000004
【図３】
0003225318.tif 000005
【図４】
0003225318.tif 000006